(57)【特許請求の範囲】
【請求項１】
撮像手段と、この撮像手段の撮像動作時間を制御する電子シャッタ手段と、前記撮像手段への光入射時間を制御するメカニカルシャッタ手段とを有するカメラにおいて、
ストロボ撮像を行う場合に、前記撮像手段による目標撮像時間が前記メカニカルシャッタ手段の全開秒時以上長いときは前記メカニカルシャッタ手段による光入射時間制御により前記撮像手段の撮像時間制御を行い、前記撮像手段による目標撮像時間が前記メカニカルシャッタ手段の全開秒時より短いときは前記メカニカルシャッタ手段を全開秒時以上動作させるとともに前記電子シャッタ手段の撮像動作時間制御により前記撮像手段の撮像時間制御を行う制御手段を有することを特徴とするカメラ。
【請求項２】
前記制御手段は、非ストロボ撮像時には前記メカニカルシャッタ手段による光入射時間制御により前記撮像手段の撮像時間制御を行うことを特徴とする請求項１に記載のカメラ。
【請求項３】
撮像手段と、この撮像手段の撮像動作時間を制御する電子シャッタ手段と、前記撮像手段への光入射時間を制御するメカニカルシャッタ手段とを有し、前記メカニカルシャッタ手段を全開秒時以上動作させてストロボ撮像を行う第１モードと全撮像時間についてストロボ撮像を行う第２モードとを選択的に設定可能なカメラにおいて、
前記撮像手段による目標撮像時間が前記メカニカルシャッタ手段の全開秒時より短い場合に、前記第１モードが設定されているときは前記メカニカルシャッタ手段の全開秒時動作による光入射時間制御により前記撮像手段の撮像時間制御を行い、前記第２モードが設定されているときは前記メカニカルシャッタ手段を全開秒時以上動作させるとともに前記電子シャッタ手段の撮像動作時間制御により前記撮像手段の撮像時間制御を行う制御手段を有することを特徴とするカメラ。
【請求項４】
前記制御手段は、ストロボ撮像を行う場合において前記撮像手段による目標撮像時間が前記メカニカルシャッタ手段の全開秒時以上長いときは、前記メカニカルシャッタ手段による光入射時間制御により前記撮像手段の撮像時間制御を行うことを特徴とする請求項３に記載のカメラ。
【請求項５】
前記制御手段は、非ストロボ撮像時には前記メカニカルシャッタ手段による光入射時間制御により前記撮像手段の撮像時間制御を行うことを特徴とする請求項３又は４に記載のカメラ。
【請求項６】
前記メカニカルシャッタ手段が、フォーカルプレーンシャッタであることを特徴とする請求項１から５のいずれかに記載のカメラ。
【発明の詳細な説明】
【０００１】
【発明の属する技術分野】
本発明は、ブレードタイプのフォーカルプレーンシャッタ等のストロボ同調のための全開秒時に制限のあるメカニカルシャッタを用いた電子カメラに関するものである。
【０００２】
【従来の技術】
従来、撮影レンズの光を電気信号に変換するＣＣＤ等の固体撮像素子を用いて画像を取り込む電子カメラには、画像を形成する光を取り込む撮像動作時間を制御することにより撮像時間を制御する電子シャッタ機能を有するとともに、撮像素子が必要な光量を取り込んだ後に余分な光によるスミアー等の軽減のためにメカニカルシャッタを有するものがある。
【０００３】
このようなタイプのカメラとしては、高画質を追求する一眼レフタイプの電子カメラが多く、また撮像時間の制御と絞りの制御とを別々に行うために、メカニカルシャッタとしてはフォーカルプレーンシャッタが採用されることが多い。
【０００４】
【発明が解決しようとする課題】
しかしながら、フォーカルプレーンシャッタを用いた電子カメラによりストロボ撮像を行おうとすると、フォーカルプレーンシャッタが固体撮像素子に対して全画面を開口しているとき、すなわちフォーカルプレーンシャッタが全開になったときのみストロボを発光することが可能となり、ストロボに同調する秒時はある一定の秒時より長い秒時となってしまう。これは、ある一定の秒時よりも短い秒時でストロボを発光すると、フォーカルプレーンシャッタの羽根部材により一部の光が遮られてしまい、いわゆる露光むらが生じてしまうためである。
【０００５】
このため、例えば明るい外光のもとで逆光等のためにストロボ撮像を行いたいシーンでは、ストロボ同調秒時にて外光も適正に撮影しようとすると、絞りを小さく絞らなければならず、絞りを小さくするとストロボ光の到達範囲が極端に短くなり、撮像できる被写体の距離に制限がつく。また、最小絞りにしてもストロボ同調秒時との組み合わせではまだ絞り足りない場合も存在する。
【０００６】
さらに、上記のような明るい外部で、撮影意図として絞りを開けて背景をぼかしたい場合などでは、ストロボ同調秒時では外光に対して露出オーバーとなってしまい、事実上通常のストロボ撮影が不可能である。
【０００７】
また、従来、このような条件でストロボ撮影を行うために、シャッタが全開でなくてもシャッタによる露光むらがおきないように、撮像中ストロボが光り続ける、いわゆるＦＰ発光も提案されている。しかし、このＦＰ発光では、撮像中ストロボが間欠発光を続けなければならないため、発光量が極端に少なくなり、ストロボ光の到達距離が非常に短くなってしまうという欠点がある。
【０００８】
そこで、本発明は、特にフォーカルプレーンシャッタを用いた場合でも、全てのシャッタ秒時において発光量を落とすことなくストロボ撮影が可能な電子カメラを提供することを目的とする。
【０００９】
さらに、本発明は、撮像時間の制御を電子シャッタを使って行うことによるスミアー等の画像の性能劣化を嫌う撮影者や、スミアー等の画像の性能劣化を許容してもストロボをフル光量で使用したい撮影者の要望に対応可能な電子カメラを提供することを目的とする。
【００１０】
【課題を解決するための手段】
上記の目的を達成するために、本願第１の発明では、撮像手段と、この撮像手段の撮像動作時間を制御する電子シャッタ手段と、撮像手段への光入射時間を制御するメカニカルシャッタ手段とを有する電子カメラにおいて、ストロボ撮像を行う場合に、撮像手段による目標撮像時間がメカニカルシャッタ手段の全開秒時以上長いときはメカニカルシャッタ手段による光入射時間制御により撮像手段の撮像時間制御を行い、撮像手段による目標撮像時間がメカニカルシャッタ手段の全開秒時より短いときはメカニカルシャッタ手段を全開秒時以上動作させるとともに電子シャッタ手段の撮像動作時間制御により撮像手段の撮像時間制御を行う制御手段を設けている。
【００１１】
これにより、全ての撮像時間（シャッタ秒時）においてストロボ同調が可能な電子カメラを実現することが可能となる。
【００１２】
なお、上記発明において、非ストロボ撮像時にはメカニカルシャッタ手段による光入射時間制御により撮像手段の撮像時間制御を行うようにしてもよい。
【００１３】
また、本願第２の発明では、撮像手段と、この撮像手段の撮像動作時間を制御する電子シャッタ手段と、撮像手段への光入射時間を制御するメカニカルシャッタ手段とを有し、メカニカルシャッタ手段を全開秒時以上動作させてストロボ撮像を行う第１モード（通常ストロボモード）と全撮像時間についてストロボ撮像を行う第２モード（全速同調モード）とを選択的に設定可能な電子カメラにおいて、撮像手段による目標撮像時間がメカニカルシャッタ手段の全開秒時より短い場合に、第１モードが設定されているときはメカニカルシャッタ手段の全開秒時動作による光入射時間制御により撮像手段の撮像時間制御を行い、第２モードが設定されているときはメカニカルシャッタ手段を全開秒時以上動作させるとともに電子シャッタ手段の撮像動作時間制御により撮像手段の撮像時間制御を行う制御手段を設けている。
【００１４】
これにより、各モードにおいてストロボの能力をフルに発揮することが可能で、かつスミアー等の画像劣化を嫌う場合にも対応可能なカメラを実現することが可能となる。
【００１５】
【発明の実施の形態】
（第１実施形態）
図１には、本発明の第１実施形態である電子カメラを示している。この図において、１は電子カメラであり、２は被写体像を結像面に結像させるレンズ装置である。３はレンズ装置２により結像される被写体像を、ファインダー観察時にはピント板７へ反射して導き、撮影時は被写体光束の光路から待避するミラー装置である。
【００１６】
４は被写体光束の結像面へ入射時間をメカ的に制御するメカニカルシャッタ装置である。このメカニカルシャッタ装置４は、ファインダー観察時には被写体光束を遮り、撮像時にはレリーズ信号に応じて被写体高速の光路から待避して露光を開始させる先羽根群４ａと、ファインダー観察時には被写体光束の光路から待避しているとともに、撮像時には先羽根群４ａの走行開始後所定のタイミングで被写体光束を遮光する後羽根群４ｂとを有するフォーカルプレーンシャッタである。
【００１７】
５はレンズ装置２により結像された被写体像を撮像して電気信号に変換するＣＣＤ等の固体撮像装置で、不図示のコントロールユニット（制御手段および電子シャッタ手段に相当する）によって撮像動作時間が制御される電子シャッター機能を持つ。
【００１８】
６は固体撮像装置５と電気的かつメカ的に結合してこれらを保持する電気基板である。７はレンズ装置２により結像され、ミラー装置３にて反射した像が結像されるピント板であり、このピント板７にはファインダー観察時にファインダー像が形成される。
【００１９】
８はピント板７に結像された被写体像を正立正像に変換反射するペンタダハミラー又はペンタプリズム装置である。９はペンタダハミラー又はペンタプリズム装置８にて反射された被写体像を撮影者の目に到達させる接眼レンズ装置である。
【００２０】
次に、以上のように構成された電子カメラの動作について図２のフローチャートを用いて説明する。
【００２１】
ステップＳ１にて図示しない電源スイッチがオンされると、電子カメラ１は撮影のためのスタンバイ状態になる。そして、ステップＳ２でレリーズボタンの半押し操作によってオンになるＳＷ１（図示せず）がオンになると、ステップＳ３にて測光を開始する。
【００２２】
次に、図示しないモード選択スイッチによって選ばれた露出モードにより、それぞれのモードに対応した絞り値（Ａｖ値）や撮像時間（Ｔｖ値）の決定がなされる（ステップＳ４〜Ｓ１０）。
【００２３】
ここで、露出モードがＡｖ優先モードならば（ステップＳ４）、Ａｖ値は撮影者が選んだ任意の値となり、ステップＳ３で測定した測光値に合せてＴｖ値が決定される（ステップＳ８）。
【００２４】
露出モードがＴｖ優先モードならば（ステップＳ５）、Ｔｖ値は撮影者が選んだ任意の値となり、ステップＳ３で測定した測光値に合せてＡｖ値が決定される（ステップＳ９）。
【００２５】
露出モードがプログラムモードならば（ステップＳ６）、ステップＳ３で測定した測光値に合せて、図示しないプログラム線図からそれぞれのＡｖ値およびＴｖ値が決定される（ステップＳ１０）。なお、プログラム線図としてはいろいろなパターンが考えられるが、１つのパターンを有する場合でも複数のパターンを有する場合でも基本的には同じフローを通過する。
【００２６】
露出モードがマニュアル露出の場合は、Ｔｖ値、Ａｖ値ともユーザーが選択した任意の値となる（ステップＳ７）。
【００２７】
以上のように、いずれのモードが選択された場合でも、ステップＳ１０までで制御すべきＴｖ値（目標撮像時間）、Ａｖ値が決定される。
【００２８】
次に、ステップＳ１１にて、レリーズスイッチの全押し操作によりオンするＳＷ２（図示せず）がオンすると、ステップＳ１２にてストロボ撮影がどうかを判断する。ストロボ撮影でないときは、ステップＳ１８に進み、固体撮像装置５による被写体画像の撮像時間の制御はメカニカルシャッタ装置４による固体撮像装置５に対する被写体光束の入射時間制御によって行われる。
【００２９】
すなわち、シャッタ装置４の先羽根群４ａをアパーチャー開放側に走行させて撮像を開始し（ステップＳ１９、Ｓ２０）、後羽根群４ｂをアパーチャー閉じ側に走行させて撮像を終了する（ステップＳ２１）。こうしてステップＳ１８〜Ｓ２１の間に固体撮像装置５に入射する被写体光束は、撮像に必要な光だけに限定される。よって、固体撮像装置５には撮像に必要以外の余計な光束が到達しないために、Ｓ／Ｎのよい信号が生成され、スミアー等もほぼ無い画像が生成される。
【００３０】
一方、ステップＳ１２にてストロボ撮影であると判断されると、ステップＳ１３にて制御すべきＴｖ値の大きさを判断する。本実施形態のメカニカルシャッタ装置４は、前述したように、ファインダー観察時にはアパーチャを覆い、撮影時にはアパーチャを開放する方向に走行する先羽根群４ａと、ファインダー観察時にはアパーチャから待避しているとともに、撮影時には先羽根群４ａの走行後所定のタイミングでアパーチャを覆う方向に走行する後羽根群４ｂを持つために、撮像時間が短いときには先羽根群４ａと後羽根群４ｂとがスリットを形成した状態で走行してしまう。このため、このようなシャッタ走行状態にてストロボを発光させると、ストロボ光の発光時間が大変短いために、固体撮像装置５は画面の一部分しかストロボ光による露光をしないことになってしまい、露出ムラのある画面が生成されてしまう。
【００３１】
したがって、先羽根群４ａが完全にアパーチャから待避して、なおかつ後羽根群４ｂがアパーチャを遮らない状態のとき、すなわち撮像時間がシャッタ装置４の全開秒時以上のとき（アパーチャを遮るものがないとき）にシャッタ装置４による適正なストロボ撮影が可能になる。
【００３２】
そこで、ステップＳ１３では、制御すべきＴｖ値がメカニカルシャッタ装置４の全開秒時より短いかどうかを判断する。Ｔｖ値が全開秒時以上長いときは、メカニカルシャッター装置４の全開に同調してストロボを発光させれば、適正なストロボ撮影が可能となるために、Ｔｖ値を目標として実撮像時間をメカニカルシャッタ装置４によって制御することとし、ステップＳ１８〜ステップＳ２１のシーケンスを行う。
【００３３】
一方、制御すべきＴｖ値がメカニカルシャッタ装置４の全開秒時よりも短いときは、前述のようにメカニカルシャッタ装置４で実撮像時間制御をしてしまうとストロボ光が遮られてしまうので、ステップＳ１４に進む。
【００３４】
ステップＳ１４では、メカニカルシャッタ装置４がストロボ光を遮らないために、このシャッタ装置４を全開秒時以上の秒時にて制御することとし、ステップＳ１５でシャッタ装置４の先羽根群４ａをアパーチャー開放側に走行させるとともに、ステップＳ１６で固体撮像装置５の電子シャッタ機能によりＴｖ値を目標とした実撮像時間の制御を行う。こうして、撮像が終了すると、ステップＳ１７に進んでシャッタ装置４の後羽根４ｂを閉じ方向に走行させる。
【００３５】
このように制御すべきＴｖ値がメカニカルシャッタ装置４の全開秒時よりも短いときの撮像制御を行うことにより、ストロボ光がメカニカルシャッタ装置４によって遮られることもなく、かつＴｖ値を目標とする撮像時間も守られる。
【００３６】
このように、本実施形態では、ストロボ撮影時のＴｖ値に応じて固体撮像装置５による撮像時間の制御を行うシャッタ（メカニカルシャッタ装置４および電子シャッタ機能）を切り換えるようにしたので、全ての撮像時間（Ｔｖ値）に対してストロボ同調が可能な電子カメラを実現することができる。
【００３７】
なお、ステップＳ１７又はステップＳ２１にて撮像が終了すると、固体撮像装置５に蓄えられた画像信号を読み出し（ステップＳ２２）、画像処理し（ステップＳ２３）、図示しないメモリー装置に蓄えて（ステップＳ２４）、１回の撮像を終了する（ステップＳ２５）。
【００３８】
（第２実施形態）
図３には、本発明の第２実施形態である電子カメラの動作フローチャートを示している。なお、本実施形態の電子カメラの構成は、第１実施形態の電子カメラの構成とほぼ同じであるので、共通構成部分については第１実施形態と同符号を用いて説明する。
【００３９】
ステップＳ１０１にて図示しない電源スイッチがオンされると、電子カメラ１は撮影のためのスタンバイ状態になる。次に、ユーザーはステップＳ１０２においてストロボモードを選択することができる。ここで選択可能なストロボモードとしては、メカニカルシャッタ装置４を全開秒時以上の秒時で制御する通常ストロボモードと、全ての秒時においてストロボ撮影を可能とする全速同調モードとがある。ユーザーがストロボモードを選択しないときには、通常ストロボモードがイニシャル設定される。
【００４０】
そして、ステップＳ１０３でレリーズボタンの半押し操作によってオンになるＳＷ１（図示せず）がオンになると、ステップＳ１０４にて測光を開始する。
【００４１】
次に、図示しないモード選択スイッチによって選ばれた露出モードにより、それぞれのモードに対応した絞り値（Ａｖ値）や撮像時間（Ｔｖ値）の決定がなされる（ステップＳ１０５〜Ｓ１１１）。
【００４２】
ここで、露出モードがＡｖ優先モードならば（ステップＳ１０５）、Ａｖ値は撮影者が選んだ任意の値となり、ステップＳ１０４で測定した測光値に合せてＴｖ値が決定される（ステップＳ１０９）。
【００４３】
露出モードがＴｖ優先モードならば（ステップＳ１０６）、Ｔｖ値は撮影者が選んだ任意の値となり、ステップＳ１０４で測定した測光値に合せてＡｖ値が決定される（ステップＳ１１０）。
【００４４】
露出モードがプログラムモードならば（ステップＳ１０７）、ステップＳ１０４で測定した測光値に合せて、図示しないプログラム線図からそれぞれのＡｖ値およびＴｖ値が決定される（ステップＳ１１１）。なお、プログラム線図としてはいろいろなパターンが考えられるが、１つのパターンを有する場合でも複数のパターンを有する場合でも基本的には同じフローを通過する。
【００４５】
露出モードがマニュアル露出の場合は、Ｔｖ値、Ａｖ値ともユーザーが選択した任意の値となる（ステップＳ１０８）。
【００４６】
以上のように、いずれのモードが選択された場合でも、ステップＳ１１１までで制御すべきＴｖ値（目標撮像時間）、Ａｖ値が決定される。
【００４７】
次に、ステップＳ１１２にて、レリーズスイッチの全押し操作によりオンするＳＷ２（図示せず）がオンすると、ステップＳ１１３にてストロボ撮影かどうかを判断する。ストロボ撮影でないときは、ステップＳ１２４に進み、固体撮像装置５による被写体画像の撮像時間の制御はメカニカルシャッタ装置４による固体撮像装置５に対する被写体光束の入射時間制御によって行われる。
【００４８】
すなわち、シャッタ装置４の先羽根群４ａをアパーチャー開放側に走行させて撮像を開始し（ステップＳ１２５、Ｓ１２６）、所定の後羽根群４ｂをアパーチャー閉じ側に走行させて撮像を終了する（ステップＳ１２７）。こうしてステップＳ１２５〜Ｓ１２７の間に固体撮像装置５に入射する被写体光束は、撮像に必要な光だけに限定される。よって、固体撮像装置５には撮像に必要以外の余計な光束が到達しないために、Ｓ／Ｎのよい信号が生成され、スミアー等もほぼ無い画像が生成される。
【００４９】
一方、ステップＳ１１３にてストロボ撮影であると判断されると、ステップＳ１１４にて制御すべきＴｖ値の大きさを判断する。本実施形態のメカニカルシャッタ装置４は、前述したように、ファインダー観察時にはアパーチャを覆い、撮影時にはアパーチャを開放する方向に走行する先羽根群４ａと、ファインダー観察時にはアパーチャから待避しているとともに、撮影時には先羽根群４ａの走行後所定のタイミングでアパーチャを覆う方向に走行する後羽根群４ｂを持つために、撮像時間が短いときには先羽根群４ａと後羽根群４ｂとがスリットを形成した状態で走行してしまう。このため、このようなシャッタ走行状態にてストロボを発光させると、ストロボ光の発光時間が大変短いために、固体撮像装置５は画面の一部分しかストロボ光による露光をしないことになってしまい、露出ムラのある画面が生成されてしまう。
【００５０】
したがって、先羽根群４ａが完全にアパーチャから待避して、なおかつ後羽根群４ｂがアパーチャを遮らない状態のとき、すなわち撮像時間がシャッタ装置４の全開秒時以上のとき（アパーチャを遮るものがないとき）にシャッタ装置４による適正なストロボ撮影が可能になる。
【００５１】
そこで、ステップＳ１１４では、制御すべきＴｖ値がメカニカルシャッタ装置４の全開秒時より短いかどうかを判断する。Ｔｖ値が全開秒時以上長いときは、メカニカルシャッター装置４の全開に同調してストロボを発光させれば、適正なストロボ撮影が可能となるために、Ｔｖ値を目標として実撮像時間をメカニカルシャッタ装置４によって制御することとし、ステップＳ１２４〜ステップＳ１２７のシーケンスを行う。
【００５２】
一方、制御すべきＴｖ値がメカニカルシャッタ装置４の全開秒時よりも短いときは、ステップＳ１１５に進み、ステップＳ１０２で設定されたストロボモードが全速同調モードか通常ストロボモードかを判定する。
【００５３】
ここで、通常ストロボモードならば、メカニカルシャッタ装置４の制御秒時をステップＳ１０８，Ｓ１０９，Ｓ１１０，Ｓ１１１で決定されたＴｖ値よりも大きなものとし、メカニカルシャッター装置４を全開秒時で制御する（ステップＳ１２０）。そして、ステップＳ１２１にてメカニカルシャッタ装置４の先羽根群４ａがアパーチャを開放して全開になったタイミングでストロボを発光する。この場合、固体撮像装置５は先羽根群４ａが開き始めたとき（ステップＳ１２１）から、後羽根群４ｂがアパーチャを覆う（ステップＳ１２３）まで露光される。すなわち、ステップＳ１２０〜Ｓ１２３のシーケンスによる通常ストロボモードでの撮影時には、外光成分で露光される部分に関しては、いわゆる露出オーバーになるが、これは従来の銀塩カメラと同様である。
【００５４】
また、ステップＳ１１５において、ストロボモードが全速同調モードと判定されたときは、ステップＳ１１６に進み、メカニカルシャッタ装置４がストロボ光を遮らないために、このシャッタ装置４を全開秒時以上の秒時にて制御することとする。そして、ステップＳ１１７でシャッタ装置４の先羽根群４ａをアパーチャー開放側に走行させるとともに、ステップＳ１１８で固体撮像装置５の電子シャッタ機能によりＴｖ値を目標とした実撮像時間の制御を行う。こうして、撮像が終了すると、ステップＳ１１９に進んでシャッタ装置４の後羽根４ｂを閉じ方向に走行させる。
【００５５】
つまり、全速同調モードでの撮像時間は、メカニカルシャッタ装置４の動きと関係無く、全て固体撮像装置５の電子シャッター機能で制御される。
【００５６】
このように、本実施形態の電子カメラによれば、撮影者が全速同調モードを選んだときは全ての目標撮像時間においてストロボ撮影が可能になる。さらに、通常ストロボモードを選択して、Ｓ／Ｎの良い画像を得ることも可能である。
【００５７】
なお、ステップＳ１１９，ステップＳ１２３又はステップＳ１２７にて撮像が終了すると、固体撮像装置５に蓄えられた画像信号を読み出し（ステップＳ１２８）、画像処理し（ステップＳ１２９）、図示しないメモリー装置に蓄えて（ステップＳ１３０）、１回の撮像を終了する（ステップＳ１３１）。
【００５８】
【発明の効果】
以上説明したように、本願第１の発明によれば、ストロボ撮影において撮像手段による目標撮像時間がメカニカルシャッタ手段の全開秒時以上長いときはメカニカルシャッタ手段による光入射時間制御により撮像手段の撮像時間制御を行い、撮像手段による目標撮像時間がメカニカルシャッタ手段の全開秒時より短いときはメカニカルシャッタ手段を全開秒時以上動作させるとともに電子シャッタ手段の撮像動作時間制御により撮像手段の撮像時間制御を行うようにしているので、全ての撮像時間（シャッタ秒時）においてストロボ同調が可能な電子カメラを実現することができる。
【００５９】
なお、非ストロボ撮影において、メカニカルシャッタ手段による光入射時間制御により撮像手段の撮像時間制御を行えば、スミアー等を軽減することができる。
【００６０】
また、本願第２の発明によれば、撮像手段による目標撮像時間がメカニカルシャッタ手段の全開秒時より短い場合に、第１モード（通常ストロボモード）が設定されているときはメカニカルシャッタ手段の全開秒時動作による光入射時間制御により撮像手段の撮像時間制御を行い、第２モード（全速同調モード）が設定されているときはメカニカルシャッタ手段を全開秒時以上動作させるとともに電子シャッタ手段の撮像動作時間制御により撮像手段の撮像時間制御を行うようにしているので、各モードにおいてストロボの能力をフルに発揮することができ、かつスミアー等の画像劣化を嫌う場合にも対応可能なカメラを実現することができる。
【図面の簡単な説明】
【図１】本発明の第１実施形態である電子カメラの構成図。
【図２】上記第１実施形態の電子カメラの動作フローチャート。
【図３】本発明の第２実施形態である電子カメラの動作フローチャート。
【符号の説明】
１  電子カメラ
２  レンズ装置
３  ミラー装置
４  メカニカルシャッタ装置（フォーカルプレーンシャッタ）
５  固体撮像装置
６  電気基板
７  ピント板
８  ペンタダハミラー又はペンタプリズム装置
９  接眼レンズ装置
【図１】
0003937553.tif 000002
【図２】
0003937553.tif 000003
【図３】
0003937553.tif 000004